(57)【要約】  【課題】  溶剤や潤滑剤を用いることなく、ゴルフクラブシャフトへのグリップの取り付けを容易にする。  【解決手段】  ゴルフクラブシャフトＳへグリップＧを取り付けるグリップ装着装置１０は中空部１１ａ内にグリップＧを挿入する一端開口で他端閉鎖の筒１１と、該筒１１内に挿入したグリップＧの開口端Ｇ−２を拡径する拡径手段と、筒１１内の空気排出手段１４とを備え、上記拡径手段は、筒１１内に挿入されて開口端１１ｂ内部に位置するグリップＧの開口端Ｇ−２に挿入する複数の爪４３と、該爪４３を外径方向に駆動させる駆動部を備え、該拡径手段によりグリップＧの開口端Ｇ−２外面を筒１１の開口端１１ｂ内周面に当接させ、かつ、空気抜き孔１１ｆを通して筒内周面とグリップ外周面との間の空気を抜いてグリップＧを膨張させ、この状態で筒１１内に保持させたグリップＧ内にゴルフクラブシャフトＳの太径端側を挿入してグリップＧを取り付けている。  【選択図】  図１３
2005192749.tif 000002
【特許請求の範囲】
【請求項１】
中空部内にグリップを挿入する一端開口で他端閉鎖の筒と、該筒内に挿入したグリップの開口端を拡径する拡径手段と、上記筒内の空気排出手段とを備え、
上記拡径手段は、上記筒内に挿入されて開口端内部に位置する上記グリップの開口端に挿入する複数の爪と、該爪を外径方向に駆動させる駆動部を備え、該拡径手段によりグリップの開口端外面を上記筒の開口端内周面に当接させ、かつ、
上記空気排出手段は、負圧導入源と接続された空気抜き孔を上記筒の周壁に設けており、上記空気抜き孔を通して上記筒内周面とグリップ外周面との間の空気を抜いてグリップを膨張させ、この状態で上記筒内に保持させたグリップ内にゴルフクラブシャフトの太径端側を挿入してグリップを取り付ける構成としていることを特徴とするゴルフクラブシャフトへのグリップ装着装置。
【請求項２】
上記筒の開口端側の内周面に弾性材を取り付けており、上記拡径手段の爪により押し広げられた上記グリップの開口端外周面を上記弾性材に密着シールさせ、上記空気排出手段による空気抜き時に空気漏れを発生させない構成としている請求項１に記載のゴルフクラブシャフトへのグリップ装着装置。
【請求項３】
上記筒の閉鎖端に圧縮空気注入用のノズル取付孔を設け、該ノズル取付孔に取り付けられた圧縮空気注入用のノズルは上記筒に挿入されるグリップ閉鎖端の空気注入孔に差し込まれ、該ノズルより上記グリップ内部に圧縮空気を供給して、グリップ内に挿入される上記ゴルフクラブシャフトシャフトの外周面に巻き付けられた両面接着テープとグリップ内周面との間に、グリップの挿入完了までの間に接着させない空気絶縁膜を形成する構成としている請求項１または請求項２に記載のゴルフクラブシャフトへのグリップ装着装置。
【請求項４】
上記拡径手段は、上記筒に外嵌する保持部材と、該保持部材にボルトにより間隔を明けて固定される円盤形状の爪ガイド板と、該爪ガイド板と上記保持部材との間で回転自在に挟持される円環盤形状のローラガイド板と、上記爪ガイド板とローラガイド板との間に径方向に移動自在に組付けられると共に支持板の一端側に爪を突設し他端側にローラを突設している複数の爪支持部材とを備え、
上記爪ガイド板と上記ローラガイド板との対向面には、爪ガイド板側に径方向に延在す複数のガイド溝を周方向に間隔をあけて設け、これら各ガイド溝に上記各爪支持部材の支持板を摺動自在に嵌合する一方、上記ローラガイド板に中心側から外周側へと円弧形状に延在する複数のガイド溝を設け、各ガイド溝に上記ローラを摺動自在に嵌合させると共に他端の爪を該ローラガイド板の中空部より上記保持部材の中空部へと突出させ、上記ローラガイド板より突設したハンドルによる回転操作で上記爪支持部材を径方向に移動させて、該爪支持部材の他端より突設した複数の爪を連動させて径方向外方あるいは径方向内方に移動させる構成としている請求項１乃至請求項３のいずれか１項に記載のゴルフクラブシャフトへのグリップ装着装置。
【請求項５】
一端開口の筒の中空部に一端開口のグリップを、該筒の開口端内周面に上記グリップの開口端外周面が位置するまで挿入し、
ついで、上記グリップの開口端を拡径手段の爪を挿入して押し広げ、該グリップの外周面を上記筒の内周面側に当接させ、
ついで、上記グリップの外周面と上記筒の内周面の間の空間を負圧吸引して排出させて、上記グリップを膨張させ、
ついで、グリップ装着位置の外周面に両面接着テープを巻き付けたゴルフクラブシャフトを上記筒内に保持されていると共に上記爪で拡径保持されている上記グリップの内部に挿入すると共に、挿入完了まで上記グリップの閉鎖端側に設けた圧縮空気注入孔に差し込んたノズルよりグリップ内部に圧縮空気を供給して、上記両面接着テープとグリップ内周面との間に絶縁空気膜を形成し、
ついで、上記ゴルフクラブシャフトがグリップに挿入完了した時点で上記圧縮空気の供給を遮断すると共に上記負圧吸引を停止し、上記グリップの内周面に上記両面接着テープを接着させて該グリップをゴルフクラブシャフトに接着固定し、
最後に、上記ゴルフクラブシャフトを上記グリップと共に上記筒から引き抜いていることを特徴とするゴルフクラブシャフトへのグリップ装着方法。
【請求項６】
請求項１乃至請求項４のいずれか１項に記載のグリップ装着装置を用いて行っている請求項５のゴルフクラブシャフトへのグリップ装着方法。
【発明の詳細な説明】
【技術分野】
【０００１】
本発明は、ゴルフクラブシャフトへのグリップ装着装置およびグリップ装着方法に関し、詳しくは、溶剤や潤滑剤を用いることなく、ゴルフクラブシャフトへグリップを装着するものである。
【背景技術】
【０００２】
従来、ゴルフクラブシャフトへのグリップの取り付けは手作業で行っており、シャフトのグリップ取付位置に両面接着テープを巻き付けた後、この両面接着テープ上とグリップの内部を溶剤または潤滑剤で濡らし、シャフトの両面接着テープを巻き付けた部位をグリップ内部へ挿入して取り付けている。
【０００３】
しかしながら、上記方法であると、溶剤または潤滑剤でシャフトとグリップを濡らす必要があるため取付作業に時間がかかると共に、溶剤や潤滑剤を用いることによりコスト高となり、かつ、環境上好ましくないという問題がある。
【０００４】
そこで、特表２００３−５０４１６７号において、溶剤や潤滑剤を用いずにグリップをゴルフクラブシャフトに取り付ける方法が提供されており、グリップの中空内部にガス状の媒体を流し、グリップの径を拡大することで乾燥状態でもシャフトをグリップ内部に挿入できるようにしている。詳細には、図１４に示すように、グリップ１の開口端１ａを爪２により適当な大きさまで拡径させ、拡径させたグリップ１の開口端１ａをゴルフクラブシャフト３のバットエンド３ａにより閉鎖し、グリップ１のアパーチャ１ｂからグリップガスインジェクター４によりガス状の媒体を流すと共に、シャフト３のチップエンド３ｂからシャフトガスインジェクター５によりガス状の媒体を流してグリップ１を膨らませて拡大させている。
【０００５】
しかしながら、上記方法であると、径の異なるシャフト３ごとにグリップ１の開口端１ａを拡径させる爪２の設定を変更しなければならず、また、グリップ１の開口端１ａをシャフト３のバットエンド３ａで閉鎖した状態でグリップ１の中空内部にガス状の媒体を流入するだけではグリップ１を十分に膨らまして拡大させるのは困難であるという問題がある。
【特許文献１】特開２００３−５０４１６７号公報
【発明の開示】
【発明が解決しようとする課題】
【０００６】
本発明は上記問題に鑑みてなされたものであり、溶剤や潤滑剤を用いることなく、ゴルフクラブシャフトへのグリップの取り付けを容易にすることを課題としている。
【課題を解決するための手段】
【０００７】
上記課題を解決するため、本発明は、第１に、中空部内にグリップを挿入する一端開口で他端閉鎖の筒と、該筒内に挿入したグリップの開口端を拡径する拡径手段と、上記筒内の空気排出手段とを備え、
上記拡径手段は、上記筒内に挿入されて開口端内部に位置する上記グリップの開口端に挿入する複数の爪と、該爪を外径方向に駆動させる駆動部を備え、該拡径手段によりグリップの開口端外面を上記筒の開口端内周面に当接させ、かつ、
上記空気排出手段は、負圧導入源と接続された空気抜き孔を上記筒の周壁に設けており、上記空気抜き孔を通して上記筒内周面とグリップ外周面との間の空気を抜いてグリップを膨張させ、この状態で上記筒内に保持させたグリップ内にゴルフクラブシャフトの太径端側を挿入してグリップを取り付ける構成としていることを特徴とするゴルフクラブシャフトへのグリップ装着装置を提供している。
【０００８】
上記構成とすると、筒の内周面とグリップの外周面の間の空気を上記空気排出手段により抜き取ることでグリップを効率良く膨張させているため、溶剤や潤滑剤を用いることなく、ゴルフクラブシャフトをグリップ内に挿入して、ゴルフクラブシャフトにグリップを装着することができる。これにより、溶剤や潤滑剤を使用する必要がないため、製造コストを低減できると共に、溶剤や潤滑剤を使用することによる環境上の問題も解消することができる。
【０００９】
上記筒の開口端側の内周面に弾性材を取り付けており、上記拡径手段の爪により押し広げられた上記グリップの開口端外周面を上記弾性材に密着シールさせ、上記空気排出手段による空気抜き時に空気漏れを発生させない構成としていることが好ましい。
【００１０】
上記構成とすると、拡径手段により拡径したグリップの開口端側の外周面を弾性材に密着させているため、グリップの外周面と筒の内周面の間の空間を確実に密封して、該空間の空気を容易に抜き取ることができる。
【００１１】
上記筒の閉鎖端に圧縮空気注入用のノズル取付孔を設け、該ノズル取付孔に取り付けられた圧縮空気注入用のノズルは上記筒に挿入されるグリップ閉鎖端の空気注入孔に差し込まれ、該ノズルより上記グリップ内部に圧縮空気を供給して、グリップ内に挿入される上記ゴルフクラブシャフトシャフトの外周面に巻き付けられた両面接着テープとグリップ内周面との間に、グリップの挿入完了までの間に接着させない空気絶縁膜を形成する構成としていることが好ましい。
【００１２】
上記構成とすると、グリップ内に供給した圧縮空気によりグリップの内周面と該グリップ内に挿入するゴルフクラブシャフトの両面接着テープとの間に空気絶縁膜を形成して絶縁しているため、ゴルフクラブシャフトの挿入途中で両面接着テープがグリップの内周面に接触して接着するのを防止することができる。
【００１３】
上記拡径手段は、上記筒に外嵌する保持部材と、該保持部材にボルトにより間隔を明けて固定される円盤形状の爪ガイド板と、該爪ガイド板と上記保持部材との間で回転自在に挟持される円環盤形状のローラガイド板と、上記爪ガイド板とローラガイド板との間に径方向に移動自在に組付けられると共に支持板の一端側に爪を突設し他端側にローラを突設している複数の爪支持部材とを備え、
上記爪ガイド板と上記ローラガイド板との対向面には、爪ガイド板側に径方向に延在す複数のガイド溝を周方向に間隔をあけて設け、これら各ガイド溝に上記各爪支持部材の支持板を摺動自在に嵌合する一方、上記ローラガイド板に中心側から外周側へと円弧形状に延在する複数のガイド溝を設け、各ガイド溝に上記ローラを摺動自在に嵌合させると共に他端の爪を該ローラガイド板の中空部より上記保持部材の中空部へと突出させ、上記ローラガイド板より突設したハンドルによる回転操作で上記爪支持部材を径方向に移動させて、該爪支持部材の他端より突設した複数の爪を連動させて径方向外方あるいは径方向内方に移動させる構成としていることが好ましい。
【００１４】
上記構成とすると、ローラガイド板に設けたハンドルを回転操作してローラガイド板を回転させるだけで、爪支持部材に設けた爪がグリップ開口端の内周面に当接した状態で、爪支持部材が径方向の外方へ拡がるため、この爪支持部材の動作に応じて上記爪によりグリップの開口端を拡径することができる。また、上記ハンドルを上記操作と逆方向に操作するだけで、爪支持部材を元の位置に戻すことができる。
【００１５】
また、本発明は、第２に、一端開口の筒の中空部に一端開口のグリップを、該筒の開口端内周面に上記グリップの開口端外周面が位置するまで挿入し、
ついで、上記グリップの開口端を拡径手段の爪を挿入して押し広げ、該グリップの外周面を上記筒の内周面側に当接させ、
ついで、上記グリップの外周面と上記筒の内周面の間の空間を負圧吸引して排出させて、上記グリップを膨張させ、
ついで、グリップ装着位置の外周面に両面接着テープを巻き付けたゴルフクラブシャフトを上記筒内に保持されていると共に上記爪で拡径保持されている上記グリップの内部に挿入すると共に、挿入完了まで上記グリップの閉鎖端側に設けた圧縮空気注入孔に差し込んたノズルよりグリップ内部に圧縮空気を供給して、上記両面接着テープとグリップ内周面との間に絶縁空気膜を形成し、
ついで、上記ゴルフクラブシャフトがグリップに挿入完了した時点で上記圧縮空気の供給を遮断すると共に上記負圧吸引を停止し、上記グリップの内周面に上記両面接着テープを接着させて該グリップをゴルフクラブシャフトに接着固定し、
最後に、上記ゴルフクラブシャフトを上記グリップと共に上記筒から引き抜いていることを特徴とするゴルフクラブシャフトへのグリップ装着方法を提供している。
【００１６】
上記方法であると、筒の内周面とグリップの外周面の間の空気を抜き取ることでグリップを効率良く膨張させているため、溶剤や潤滑剤を用いることなく、ゴルフクラブシャフトをグリップ内に挿入して、効率良くゴルフクラブシャフトにグリップを装着することができる。  
【００１７】
上記ゴルフクラブシャフトへのグリップ装着方法は上記グリップ装着装置を用いて行っていることが好ましい。
【発明の効果】
【００１８】
以上の説明より明らかなように、本発明によれば、筒の内周面とグリップの外周面の間の空気を抜き取ることでグリップを効率良く膨張させているため、溶剤や潤滑剤を用いることなく、ゴルフクラブシャフトをグリップ内に挿入して、ゴルフクラブシャフトにグリップを装着することができる。これにより、溶剤や潤滑剤を使用する必要がないため、製造コストを低減できると共に、溶剤や潤滑剤を使用することによる環境上の問題も解消することができる。
【発明を実施するための最良の形態】
【００１９】
本発明の実施形態を図面を参照して説明する。
図１乃至図１３は、本発明の実施形態を示す。
【００２０】
図１は、ゴルフクラブシャフトＳ（以下、シャフトＳと称す）にグリップＧを取り付けるための装着装置１０を示し、該装着装置１０は、グリップＧを挿入する筒１１と、筒１１に挿入したグリップＧの開口端Ｇ−２を拡径する拡径手段となる爪駆動装置２０と、筒１１の外周面に取り付けた筒１１内の空気排出手段と、筒１１の閉鎖端に取り付けたノズル１３を備えている。
【００２１】
筒１１は、図２（Ａ）に示すように、中空部１１ａを有する一端開口の筒状体であり、該開口端１１ｂ側の内周面に溝１１ｃを設けて、該溝１１ｃに沿ってゴム１２を取り付けている。該ゴム１２は、筒１１に取り付けた状態で、ゴム１２の内径と筒１１の内径を同一としている。筒１１の他端には、閉鎖壁１１ｄを設けると共に、該閉鎖壁１１ｄの中央にノズル１３の噴射口１３ａを挿入するノズル取付孔１１ｅを穿設している。ノズル１３にはチューブを介してエアコンプレッサー（図示せず）を取り付けている。また、筒１１の上面の所要箇所には空気抜き孔１１ｆを穿設し、図１に示すように、該空気抜き孔１１ｆから筒１１の中空部１１ａの空気を抜き取る空気排出手段１４を設けている。該空気排出手段１４は、空気抜き孔１１ｆに接続された配管１５が途中で二手に分岐しており、一方の配管１５ａは端部を開口させ、他方の配管１５ｂには負圧導入源となる真空ポンプ１６を接続している。配管１５ａと、配管１５ｂの分岐位置と真空ポンプ１６の間には、バルブ１７、１８をそれぞれ設けている。
【００２２】
筒１１の開口端１１ｂに取り付ける爪駆動装置２０は、図３に示すように、筒１１の開口端１１ｂに保持する保持部材２１と、該保持部材２１に回転自在に取り付けられるローラガイド板３０と、該ローラガイド板３０の回転に応じて径方向に移動する爪支持部材４０と、ローラガイド板３０と爪支持部材４０を介して保持部材２１にボルトＢにより固定される爪ガイド板５０とからなる。
【００２３】
保持部材２１は両端開口の筒状体であり、その内径を筒１１の保持部材２１の取付位置の外径よりも若干大きくしている。保持部材２１には、筒１１への取り付け側となる先端側にネジ穴２２を設けて該ネジ穴２２を通してネジ２３により保持部材２１を筒１１に保持する構成としている。保持部材２１の後端２３からローラガイド板３０の厚さをあけた位置に外周面からリブ２５を周設し、該リブ２５の後端面から保持部材２１の後端２４までをローラガイド板３０を外嵌するローラガイド板取付部２６としている。また、保持部材２１の後端面には、図４に示すように、所要箇所にボルト穴２７を設けている。
【００２４】
保持部材２１のローラガイド板取付部２６に回転自在に取り付けるローラガイド板３０は、保持部材２１の外径より若干大きな中空部３１を穿設した円形板であり、その外周面の上端から棒状のハンドル３２を突出させている。ローラガイド板３０の後面には、図５に示すように、爪支持部材４０のローラ４５をガイドする円弧状のローラガイド溝３３を設けている。該ローラガイド溝３３は、一端３３ａが中空部３１の近傍に位置しており、一端３３ａから半時計回り方向にいくに従ってローラガイド板３０の外周縁に近接するように設けられている。本実施形態では、ローラガイド板３０に４つのローラガイド溝３３を設けており、各ローラガイド溝３３の一端３３ａは、ローラガイド板３０の中心から上下左右の四方向に位置している。即ち、ローラガイド板３０の後面を時計面とみなし、ハンドル３２の突出位置を１２時とすると、３時、６時、９時、１２時の方向に、ローラガイド溝３３の一端３３ａが位置している。
【００２５】
筒１１の中空部１１ａに挿入したグリップＧの開口端Ｇ−２を拡径する爪支持部材４０は、図６に示すように、板状の支持板４１の一端を円弧状に切り欠いており、該円弧部４２から断面円弧状の爪４３を突設している。円弧部４２の両端はテーパ面４４としている。また、支持板４１の他端側の所要位置に爪４３と同一方向にピン４６を回転軸とするローラ４５を設けている。
【００２６】
ローラガイド板３０と爪支持部材４０を介して保持部材２１にボルトＢにより固定される爪ガイド板５０は、中央に貫通穴５１を穿設しており、図７（Ａ）に示すように、ローラガイド板３０に当接する表面に貫通穴５１から上下左右の四方に向けて外周端縁まで直線状の爪ガイド溝５２を設けている。また、各爪ガイド溝５２の間に周方向に等間隔でボルト穴５３を設けている。
【００２７】
爪駆動装置２０の組立方法は、先ず、図８に示すように、爪ガイド板５０の各爪ガイド溝５２に爪支持部材４０を爪４３が爪ガイド板５０の中心側に配置されるように嵌め込んで、隣接する爪支持部材４０のテーパ面４４及び爪４３をそれぞれ当接させる。このとき４つの爪４３により筒状の爪が形成され、該爪とローラ４５は爪ガイド板５０の表面側に突出させている。次いで、ローラガイド板３０の裏面と爪ガイド板５０の表面を当接させ、爪ガイド板５０の爪ガイド溝５２に嵌め込んだ爪支持部材４０のローラ４５を、図９（Ａ）に示すように、ローラガイド板３０のローラガイド溝３３の一端３３ａに挿入する。次いで、ローラガイド板３０、爪支持部材４０、爪ガイド板５０を組み合わせた状態で、ローラガイド板３０の中空部３１の内周面を保持部材２１のローラガイド板取付部２６に外嵌させる。このとき、爪４３はローラガイド板３０の中空部３１より保持部材２１の中空部へと突出されている。また、ローラガイド板３０のハンドル３２は上方に突出させると共に、保持部材２１のボルト穴２７と爪ガイド板５０のボルト穴５３をそれぞれ連通させている。最後に、爪ガイド板５０の裏面側から爪ガイド板５０のボルト穴５３と保持部材２１のボルト穴２７にボルトを通しボルト締めにより保持部材２１に爪ガイド板５０を位置決め固定して爪駆動装置２０を形成している。
なお、本実施形態では、爪支持部材４０の支持板４１を爪ガイド板５０の爪ガイド溝５２に嵌め込んだ状態でローラガイド板３０と爪ガイド板５０を組み合わせているが、爪支持部材４０のローラ４５をローラガイド板３０のローラガイド溝３３に嵌め込んだ状態でローラガイド板３０と爪ガイド板５０を組み合わせてもよい。
【００２８】
爪駆動装置２０の操作は、図９（Ａ）に示すように、上方に突出するハンドル３２を時計回り方向に動かして、ローラガイド板３０を図９（Ｂ）に示す位置まで回転させると、爪支持部材４０のローラ４５がローラガイド溝３３に沿って移動する。このとき、爪支持部材４０の支持板４１が爪ガイド板５０の爪ガイド溝５２に沿って径方向に移動するため、爪支持部材４０は、図９（Ｂ）に示すように、支持板４１の方向を変えることなく放射状に拡がり、爪駆動装置２０の中央に配置されていた爪４２が離反して拡がる。上記操作後、ハンドル３２を反時計回り方向に回転させて元の位置に戻すと、爪支持部材４０もこの操作に応じて元の位置に戻る。
【００２９】
シャフトＳに取り付けるグリップＧは、ゴムやプラスティック等からなり、一端開口の筒状体である。グリップＧの閉鎖端側の閉鎖壁の中央には貫通穴からなる空気注入孔Ｇ−１が設けられており、閉鎖端から開口端Ｇ−２にかけて縮径している。
シャフトＳには、グリップＧの装着側となる太径端Ｓ−１側に両面接着テープＴを巻き付けている。
【００３０】
次に、上記グリップ装着装置１０を用いたゴルフクラブシャフトＳへのグリップＧの取付方法について説明する。
先ず、図１０に示すように、筒１１の開口端１１ｂから中空部１１ａにグリップＧを挿入する。このとき、筒１１の開口端１１ｂとグリップＧの開口端Ｇ−２が同一側となるように配置しており、グリップＧの空気注入孔Ｇ−１からグリップＧ内にノズル１３先端の噴射口１３ａを挿入している。
次いで、図１１に示すように、筒１１の開口端１１ｂ側に図９（Ａ）に示す操作前の爪駆動装置２０の保持部材２１を外嵌し、ネジ２３をネジ締めしてネジ２３の先端を筒１１の外周面に押圧することで爪駆動装置２０を筒１１に固定する。このとき、爪支持部材４０の爪４３をグリップＧの開口端Ｇ−２からグリップＧ内部に挿入している。
【００３１】
次いで、上記のように、爪駆動装置２０のハンドル３２を時計回り方向に回転させると、図１２に示すように、爪４３が外方に向けて拡がり、該爪４３によりグリップＧの開口端Ｇ−２が拡径されて、グリップＧの開口端Ｇ−２側の外周面が筒１１内のゴム１２に押し付けられて密着シールされる。これにより、筒１１の内周面とグリップＧの外周面の間の空間が密封される。この状態で、図１３に示すように、空気排出手段１４のバルブ１７を閉じると共にバルブ１８を開いて空気抜き孔１１ｆから真空ポンプ１６で筒１１の内周面とグリップＧの外周面の間の空間の空気を負圧吸引して排出し、該空間とグリップＧ内との間に圧力差を生じさせてグリップＧ全体を膨らませる。さらに、ノズル１３に取り付けたエアコンプレッサーからノズル１３の噴射口１３ａを通してグリップ１３内に圧縮空気を供給した状態で、シャフトＳの太径端Ｓ−１側をグリップＧの開口端Ｇ−２からグリップＧ内部に挿入する。このノズル１３から供給される圧縮空気によりシャフトＳの外周面とグリップＧの内周面との間に空気絶縁膜を形成し、該空気絶縁膜によりシャフトＳの太径端Ｓ−１側に巻き付けた両面接着テープＴを挿入途中でグリップＧの内周面に接着させることなく所要位置までシャフトＳを挿入することができる。
【００３２】
最後に、ノズル１３からの圧縮空気の供給を遮断し、空気排出手段１４のバルブ１８を閉じると共にバルブ１７を開いて空気抜き孔１１ｆから今度は逆に筒１１内に空気を供給し、さらに、ハンドル３２を反時計回り方向に回転させてグリップＧの開口端Ｇ−２から抜き取ることで、グリップＧを縮径させてグリップＧの内周面をシャフトＳに巻き付けた両面接着テープＴに接着させ、グリップＧをシャフトＳに装着する。
【００３３】
シャフトＳを筒１１から抜き取る際には、爪４３が邪魔にならないよう、再びハンドル３２を時計回り方向に回転させて爪４３を拡げた状態でシャフトＳを筒１１から引き抜いている。
【００３４】
上記構成とすると、筒１１の内周面とグリップＧの外周面の間の空気を抜き取ることでグリップＧを効率良く膨張させているため、溶剤や潤滑剤を用いることなく、ゴルフクラブシャフトＳをグリップＧ内に挿入して容易に装着することができる。これにより、溶剤や潤滑剤を使用する必要がないため、製造コストを低減できると共に、溶剤や潤滑剤を使用することによる環境上の問題も解消することができる。
【図面の簡単な説明】
【００３５】
【図１】本発明の実施形態のグリップ装着装置を示す図面である。
【図２】グリップ装着装置の筒を示し（Ａ）はＩ１−Ｉ１線断面図、（Ｂ）はＩ２−Ｉ２線断面図である。
【図３】爪駆動装置の分解図である。
【図４】保持部材の背面図である。
【図５】ローラガイド板の背面図である。
【図６】爪支持部材を示し、（Ａ）は正面図、（Ｂ）は左側面図、（Ｃ）は背面図である。
【図７】爪ガイド板を示し、（Ａ）は正面図、（Ｂ）は背面図である。
【図８】爪ガイド板の爪ガイド溝に爪支持部材を嵌め込んだ状態を示す図面である。
【図９】（Ａ）（Ｂ）は爪駆動装置の操作方法を示す図面である。
【図１０】ゴルフクラブシャフトへのグリップ取付方法の第１工程を示す図面である。
【図１１】ゴルフクラブシャフトへのグリップ取付方法の第２工程を示す図面である。
【図１２】ゴルフクラブシャフトへのグリップ取付方法の第３工程を示す図面である。
【図１３】ゴルフクラブシャフトへのグリップ取付方法の第４工程を示す図面である。
【図１４】従来例を示す図面である。
【符号の説明】
【００３６】
１０  グリップ装着装置
１１  筒
１２  ゴム
１３  ノズル
１４  空気排出手段
２０  爪駆動装置
２１  保持部材
３０  ローラガイド板
３２  ハンドル
３３  ローラガイド溝
４０  爪支持部材
４１  支持板
４３  爪
４５  ローラ
５０  爪ガイド板
５２  爪ガイド溝
Ｇ  グリップ
Ｓ  シャフト
Ｔ  両面接着テープ
【図１】
2005192749.tif 000003
【図２】
2005192749.tif 000004
【図３】
2005192749.tif 000005
【図４】
2005192749.tif 000006
【図５】
2005192749.tif 000007
【図６】
2005192749.tif 000008
【図７】
2005192749.tif 000009
【図８】
2005192749.tif 000010
【図９】
2005192749.tif 000011
【図１０】
2005192749.tif 000012
【図１１】
2005192749.tif 000013
【図１２】
2005192749.tif 000014
【図１３】
2005192749.tif 000015
【図１４】
2005192749.tif 000016